(57)【特許請求の範囲】
【請求項１】
複数の電池セルを組合わせた電池と該電池の正極に回路接続された正極端子および負極に回路接続された負極端子を具備する着脱式電池ユニットであって、
当該着脱式電池ユニットの識別に用いられる電流値の定電流手段と、
該定電流手段の電源側に回路接続された電源用端子と、
前記定電流手段の接地側に回路接続された接地用端子と
を有することを特徴とする着脱式電池ユニット。
【請求項２】
複数の電池セルを組合わせた電池と該電池の正極に回路接続された正極端子および負極に回路接続された負極端子を具備する着脱式電池ユニットであって、
電源側が前記正極端子に接続され当該着脱式電池ユニットの識別に用いられる電流値の定電流手段と、
該定電流手段の接地側に回路接続された接地用端子と
を有することを特徴とする着脱式電池ユニット。
【請求項３】
複数の電池セルを組合わせた電池と該電池の正極に回路接続された正極端子および負極に回路接続された負極端子を具備する着脱式電池ユニットであって、
接地側が前記負極端子に接続され当該着脱式電池ユニットの識別に用いられる電流値の定電流手段と、
該定電流手段の電源側に回路接続された電源用端子と
を有することを特徴とする着脱式電池ユニット。
【請求項４】
複数の電池セルを組合わせた電池と該電池の正極に回路接続された正極端子および負極に回路接続された負極端子を具備する着脱式電池ユニットであって、
前記電池の中間電位に電源側が接続され当該着脱式電池ユニットの識別に用いられる電流値の定電流手段と、
該定電流手段の接地側に回路接続された接地用端子と
を有することを特徴とする着脱式電池ユニット。
【請求項５】
請求項１に記載の着脱式電池ユニットであって、
前記定電流手段と並列に回路接続された温度検出素子を有することを特徴とする着脱式電池ユニット。
【請求項６】
請求項３に記載の着脱式電池ユニットであって、
前記定電流手段と並列に回路接続された温度検出素子を有することを特徴とする着脱式電池ユニット。
【請求項７】
請求項１に記載の着脱式電池ユニットであって、
前記定電流手段と直列に回路接続された温度検出素子を有することを特徴とする着脱式電池ユニット。
【請求項８】
請求項３に記載の着脱式電池ユニットであって、
前記定電流手段と直列に回路接続された温度検出素子を有することを特徴とする着脱式電池ユニット。
【請求項９】
請求項７に記載の着脱式電池ユニットであって、
直列に接続された前記定電流手段と温度検出素子との間に回路接続された中間用端子を有することを特徴とする着脱式電池ユニット。
【請求項１０】
請求項８に記載の着脱式電池ユニットであって、
直列に接続された前記定電流手段と温度検出素子との間に回路接続された中間用端子を有することを特徴とする着脱式電池ユニット。
【請求項１１】
請求項１から請求項１０のいずれかに記載の着脱式電池ユニットを用いる電子機器であって、
前記定電流手段の電流値に基づき前記着脱式電池ユニットの種類を判別する手段を有することを特徴とする電子機器。
【請求項１２】
請求項１に記載の着脱式電池ユニットを用いる電子機器であって、
前記電源用端子に接続される電源手段と、
一端が前記接地用端子に接続され他端が接地された抵抗手段と、
該抵抗手段の電位差に基づき前記着脱式電池ユニットの種類を判別する手段と
を有することを特徴とする電子機器。
【請求項１３】
請求項２、もしくは、請求項４のいずれかに記載の着脱式電池ユニットを用いる電子機器であって、
一端が前記接地用端子に接続され他端が接地された抵抗手段と、
該抵抗手段の電位差に基づき前記着脱式電池ユニットの種類を判別する手段と
を有することを特徴とする電子機器。
【請求項１４】
請求項１に記載の着脱式電池ユニットを用いる電子機器であって、
前記電源用端子に接続される電源手段と、
該電源手段と前記電源用端子との間に接続される抵抗手段と、
該抵抗手段の電位差に基づき前記着脱式電池ユニットの種類を判別する手段と、
前記接地用端子を接地する配線手段と
を有することを特徴とする電子機器。
【請求項１５】
請求項３に記載の着脱式電池ユニットを用いる電子機器であって、
前記電源用端子に接続される電源手段と、
該電源手段と前記電源用端子との間に接続される抵抗手段と、
該抵抗手段の電位差に基づき前記着脱式電池ユニットの種類を判別する手段と
を有することを特徴とする電子機器。
【請求項１６】
請求項５、もしくは、請求項７のいずれかに記載の着脱式電池ユニットを用いる電子機器であって、
前記電源用端子に接続される電源手段と、
一端が前記接地用端子に接続され他端が接地された抵抗手段と、
該抵抗手段の電位差に基づき前記着脱式電池ユニットの種類を判別する手段と、
前記電源用端子と前記接地用端子との間の電位差を求めて該電位差と前記抵抗手段の電位差とに基づき前記温度検出素子の温度を求める手段と
を有することを特徴とする電子機器。
【請求項１７】
請求項５、もしくは、請求項７のいずれかに記載の着脱式電池ユニットを用いる電子機器であって、
前記電源用端子に接続される電源手段と、
該電源手段と前記電源用端子との間に接続される抵抗手段と、
該抵抗手段の電位差に基づき前記着脱式電池ユニットの種類を判別する手段と、
前記接地用端子を接地する配線手段と、
前記電源用端子と前記接地用端子間の電位差を求めて該電位差と前記抵抗手段の電位差とに基づき前記温度検出素子の温度を求める手段と
を有することを特徴とする電子機器。
【請求項１８】
請求項６、もしくは、請求項８のいずれかに記載の着脱式電池ユニットを用いる電子機器であって、
前記電源用端子に接続される電源手段と、
該電源手段と前記電源用端子との間に接続される抵抗手段と、
該抵抗手段の電位差に基づき前記着脱式電池ユニットの種類を判別する手段と、
前記電源用端子と前記負極端子間の電位差を求めて該電位差と前記抵抗手段の電位差とに基づき前記温度検出素子の温度を求める手段と
を有することを特徴とする電子機器。
【請求項１９】
請求項７に記載の着脱式電池ユニットを用いる電子機器であって、
前記電源用端子に接続される電源手段と、
一端が前記接地用端子に接続され他端が接地された第１の抵抗手段と、
該第１の抵抗手段に並列に接続された第２の抵抗手段と、
該第２の抵抗手段の接地のオンオフを制御する制御手段と、
該制御手段で接地された前記第２の抵抗手段の電位差に基づき前記着脱式電池ユニットの種類を判別する手段と、
前記制御手段で非接地された状態で前記電源用端子と前記接地用端子間の電位差を求めて該電位差と前記抵抗手段の電位差とに基づき前記温度検出素子の温度を求める手段と
を有することを特徴とする電子機器。
【請求項２０】
請求項７に記載の着脱式電池ユニットを用いる電子機器であって、
前記電源用端子に接続される電源手段と、
前記接地用端子を接地する配線手段と、
前記電源手段と前記電源用端子との間に接続される第１の抵抗手段と、
該第１の抵抗手段に並列に接続された第２の抵抗手段と、
該第２の抵抗手段の前記電源手段との接続のオンオフを制御する制御手段と、
該制御手段で前記電源手段と接続された前記第２の抵抗手段の電位差に基づき前記着脱式電池ユニットの種類を判別する手段と、
前記制御手段により前記第２の抵抗手段と前記電源手段とが非接続となった状態で、前記電源用端子と前記接地用端子間の電位差を求めて該電位差と前記抵抗手段の電位差とに基づき前記温度検出素子の温度を求める手段と
を有することを特徴とする電子機器。
【請求項２１】
請求項８に記載の着脱式電池ユニットを用いる電子機器であって、
前記電源用端子に接続される電源手段と、
該電源手段と前記電源用端子との間に接続される第１の抵抗手段と、
該第１の抵抗手段に並列に接続された第２の抵抗手段と、
該第２の抵抗手段の前記電源手段との接続のオンオフを制御する制御手段と、
該制御手段で前記電源手段と接続された前記第２の抵抗手段の電位差に基づき前記着脱式電池ユニットの種類を判別する手段と、
前記制御手段により前記第２の抵抗手段と前記電源手段とが非接続となった状態で、前記電源用端子と前記負極端子間の電位差を求めて該電位差と前記抵抗手段の電位差とに基づき前記温度検出素子の温度を求める手段と
を有することを特徴とする電子機器。
【請求項２２】
請求項９に記載の着脱式電池ユニットを用いる電子機器であって、
前記電源用端子に接続される電源手段と、
一端が前記接地用端子に接続され他端が接地された抵抗手段と、
該抵抗手段の電位差に基づき前記着脱式電池ユニットの種類を判別する手段と、
前記中間用端子と前記接地用端子間の電位差を求めて該電位差と前記抵抗手段の電位差とに基づき前記温度検出素子の温度を求める手段と
を有することを特徴とする電子機器。
【請求項２３】
請求項９に記載の着脱式電池ユニットを用いる電子機器であって、
前記電源用端子に接続される電源手段と、
該電源手段と前記電源用端子との間に接続される抵抗手段と、
該抵抗手段の電位差に基づき前記着脱式電池ユニットの種類を判別する手段と、
前記接地用端子を接地する配線手段と、
前記中間用端子と前記接地用端子間の電位差を求めて該電位差と前記抵抗手段の電位差とに基づき前記温度検出素子の温度を求める手段と
を有することを特徴とする電子機器。
【請求項２４】
請求項１０に記載の着脱式電池ユニットを用いる電子機器であって、
前記電源用端子に接続される電源手段と、
該電源手段と前記電源用端子との間に接続される抵抗手段と、
該抵抗手段の電位差に基づき前記着脱式電池ユニットの種類を判別する手段と、
前記中間用端子と前記負極端子間の電位差を求めて該電位差と前記抵抗手段の電位差とに基づき前記温度検出素子の温度を求める手段と
を有することを特徴とする電子機器。
【請求項２５】
請求項１２から請求項２４のいずれかに記載の電子機器であって、
前記着脱式電池ユニットの種類を判別する手段は、
前記抵抗手段の電位差から電流値を求め該電流値に基づき前記着脱式電池ユニットの種類を判別することを特徴とする電子機器。
【発明の詳細な説明】
【０００１】
【発明の属する技術分野】
本発明は、ノート・パソコンやＰＤＡ（Personal Data Assistance）、ビデオカメラ、携帯電話等の電子機器に用いられるバッテリーパックなどの、１次電池セルもしくは２次電池セルからなる着脱式電池ユニットの技術に係わり、特に、種類の判別を高精度に行なうのに好適な着脱式電池ユニットとそれを用いる電子機器に関するものである。
【０００２】
【従来の技術】
Ｎｉ−Ｃｄ，Ｎｉ−ＭＨ，Ｌｉイオンなどの２次電池からなる着脱式電池パック、もしくは、アルカリ電池などの１次電池を装填してなる着脱式電池ホルダ等の着脱式電池ユニットにおいては、装着された電池ユニットの種類を判別することは、電池を電源として消費する装置や電池を充電する装置、製品にとっては安全性や機能性を保持するためには必要不可欠である。
【０００３】
旧来の製品群では、電池ユニットに種別検出用の端子を設けて、その端子が開放されているか、負極端子（もしくは接地端子）に接続されているかで、その種類を判別していた。
【０００４】
しかし、この技術では、電池の種類、もしくは特性の異なる同種の電池というような多種に渡った電池を着脱する装置では、種別検出用の端子の数が多くなり、端子部分の形状が大きくなるという問題点が生じた。
【０００５】
また、種別検出用の端子を一切使わずに電池パックの種類を判別する技術として、電池の放電特性や充電特性から種類を特定するという技術も考えられている。
【０００６】
しかし、この技術では、常に電池の特性が一定の範囲内に収まっているということが必要になる。だが、実際には、電池の特性にはかなりのばらつきがあり、また、充放電の回数（電池パックの使用回数）によっても特性が大きく変わってしまうので、実現するのは非常に困難を伴う。
【０００７】
以上の二つの技術で生じる問題点に対処する従来技術として、例えば、特開平８−２４１７３６号公報（「組電池構造および組電池の着脱機構をもつ電子機器」や特開平１０−１６２８６６号公報（「バッテリー判別システム」）、あるいは、特開平８−１９５２２７号公報（「バッテリパック」）や特開平１１−６９６４５号公報（「電池パック、充電器および充電方法」）などがある。
【０００８】
特開平８−２４１７３６号公報に記載の技術は、電池パックの内部に定電圧素子（ツェナーダイオード）を用いて、その電圧を検出することによって電池パックの種類を判別するものであり、また、特開平１０−１６２８６６号公報では、電池パック内部に中間電位形成手段（分割抵抗・ツェナーダイオード）を設けて、その電位を検出することによって電池パックの種類を判別する技術が開示されている。
【０００９】
これらの特開平８−２４１７３６号公報および特開平１０−１６２８６６号公報に記載の技術では、種別検出用の端子を一つにして、その端子電圧を電池の種類ごとに変更し、その電圧を検出することで電池パックを特定することができる。
【００１０】
また、特開平８−１９５２２７号公報および特開平１１−６９６４５号公報においては、温度検出素子（サーミスタ）の端子を、電池パックの種類の検出用端子と兼用する技術が開示されている。
【００１１】
すなわち、特開平８−１９５２２７号公報においては、電池パックの内部の温度検出素子（サーミスタ）に並列に定電圧素子（ツェナーダイオード）を設け、その定電圧の領域を温度検出の信号電圧よりも高い値に設定して電圧の領域を二分割することでそれぞれの検出を可能にしている。
【００１２】
また、特開平１１−６９６４５号公報においては、電池パックの内部の温度検出素子（サーミスタ）に直列または並列に設けられたオフセット素子（ツェナーダイオード・ダイオード・抵抗）を用いて設定された範囲のしきい値で電池パックの種別を区分けすることで検出を可能にしている。
【００１３】
このように、特開平８−１９５２２７号公報および特開平１１−６９６４５号公報にそれぞれ記載の技術では、温度検出素子（サーミスタ）の端子を用いることにより、種別検出用の端子を省略して温度検出と種別検出を一つの端子において可能にすることで、さらに端子部分の形状を小さくできる。
【００１４】
しかし、例えば、特開平８−２４１７３６号公報および特開平１０−１６２８６６号公報に記載の技術では、抵抗を用いる場合には定電圧源が必須であり、また、ツェナーダイオードを用いる場合には定電圧源や定電流源がないと、ツェナーダイオードの電圧特性が必ずしも電流に対して一定値に決定されないために、誤検出してしまうという問題点が発生してしまう。
【００１５】
また、特開平８−１９５２２７号公報に記載の技術では、電圧を上下に分割して検出を行うために、種別検出としての電圧の幅がかなり狭く設定せざるを得ない。そのために、種類が多岐にわたる電池パックにおいては、その種類に相当する電圧を規定できなくなる可能性が出てくる。
【００１６】
また、特開平１１−６９６４５号公報に記載の技術では、オフセットという概念を用いて、電池パックの種類の判別を行なうものであるが、一般的に使われるようなオフセットでは正確なリニアリティが要求され、また、ここで記載されているような曲線のオフセットであっても、そのオフセットに対する再現性（どのような環境条件下においても常に同一のオフセットを再現できる能力）が要求される。しかし、現実の部品では様々なばらつきや許容差が存在し、再現性のあるオフセットを実現させることは非常に困難である。
【００１７】
また、特開平８−２４１７３６号公報、特開平１０−１６２８６６号公報、特開平８−１９５２２７号公報および特開平１１−６９６４５号公報のそれぞれに記載の技術では、電池ユニットが着脱式であるがために、端子部の接触部に異物が挟まったり、端子部の経時変化により腐食や酸化が進んでいたりした場合、接点部に抵抗が生じてしまい、その抵抗値によって電圧変動やオフセット変動が生じ、電池ユニットの種類を誤検出してしまう。また、電池ユニットと機器側の端子間が半接触状態になった場合、端子の接触部に抵抗を持つことがあり、この抵抗値によっても同様な誤検出をしてしまう。
【００１８】
【発明が解決しようとする課題】
解決しようとする問題点は、例えば、▲１▼種類の判別に抵抗やツェナーダイオードを用いる技術では、定電圧源や定電流源がなければ、誤検出してしまい、また、▲２▼温度検知素子（サーミスタ）の端子を用いて電圧を上下に分割して検出を行う技術では、種別検出としての電圧の幅をかなり狭く設定せざるを得ないために、種類が多岐にわたる電池パックにおいては、その種類に相当する電圧を規定できなくなり、また、▲３▼オフセットを電池パックの種類の判別に用いる技術では、部品の様々なばらつきや許容差により、再現性のあるオフセットを実現させることは非常に困難であり、また、▲４▼各技術では、着脱により、端子部の接触部に異物が挟まったり、端子部の経時変化により腐食や酸化が進んでいたりした場合、あるいは、電池ユニットと機器側の端子間が半接触状態になった場合には、接点部に抵抗が生じてしまい、その抵抗値によって電圧変動やオフセット変動が生じ、電池ユニットの種類を誤検出してしまう等、従来の技術では、着脱式電池ユニットの種類の判別を高精度に行なうことが困難な点である。
【００１９】
本発明の目的は、これら従来技術の課題を解決し、種類の判別を容易かつ高精度に行なうことを可能とした着脱式電池ユニットとそれを用いる電子機器を提供することである。
【００２０】
【課題を解決するための手段】
上記目的を達成するため、本発明の着脱式電池ユニットとそれを用いる電子機器では、種別検出用に、定電流素子や定電流回路を用いることを特徴とする。例えば、着脱式電池ユニットには、複数の電池セルを組合わせた電池と、この電池の正極に回路接続された正極端子および負極に回路接続された負極端子と共に、当該着脱式電池ユニットの識別に用いられる電流値の定電流素子もしくは定電流回路と、この定電流素子もしくは定電流回路の電源側に回路接続された電源用端子と、接地側に回路接続された接地用端子とを設け、そして、電子機器には、電源用端子に接続される電源と、一端が接地用端子に接続され他端が接地された抵抗と、この抵抗の電位差を測定して、この電位差に基づき、あるいは、この電位差から定電流素子もしくは定電流回路の電流値を求めてこの電流値に基づき、着脱式電池ユニットの種類を判別する判別部とを設ける。
【００２１】
【発明の実施の形態】
以下、本発明の実施の形態を、図面により詳細に説明する。
図１は、本発明に係る着脱式電池ユニットの第１の構成例を示すブロック図であり、図１１は、図１における着脱式電池ユニットを用いる本発明に係わる電子機器の第１の構成例を示すブロック図、図１２は、図１における着脱式電池ユニットを用いる本発明に係わる電子機器の第２の構成例を示すブロック図である。
【００２２】
図１において、１０は着脱式電池パックまたは着脱式電池ホルダ等の着脱式電池ユニットであり、１１は複数の電池セルを組合わせた電池、１２は当該着脱式電池ユニットの識別に用いられる電流値の定電流素子もしくは定電流回路からなる定電流部、１４は電池１１の正極に回路接続された正極端子、１５は電池１１の負極に回路接続された負極端子、１６は定電流部１２の電源側に回路接続された電源用端子、１８は定電流部１２の接地側に回路接続された接地用端子である。
【００２３】
また、図１１において、２０はノート・パソコンやＰＤＡ、ビデオカメラ、携帯電話等の電子機器であり、２１はレギュレータ（図中、「ＲＥＧ」と記載）、２２はアナログ／デジタル変換器（図中、「Ａ／Ｄ」と記載）、２３はマイクロプロセッサ（図中、「ＭＰ」と記載）、２４は抵抗素子、３２は電源、１４ａは図１における正極端子１４と接触する端子、１５ａは図１における負極端子１５と接触する端子、１６ａは図１における電源用端子１６と接触する端子、１８ａは図１における接地用端子１８と接触する端子である。
【００２４】
このような構成の電子機器２０に、図１の着脱式電池ユニット１０が装着されると、この着脱式電池ユニット１０の電池１１から供給される直流電圧は、正極端子１４、端子１４ａを通りレギュレータ２１に入力され、このレギュレータ２１により定電圧に変換されマイクロプロセッサ２３等の電源電圧として用いられる。
【００２５】
この電子機器２０で使用される電圧を、電源３２として端子１６ａ、電源用端子１６に加える。尚、この時に使用する電圧は必ずしも電子機器２０の中で作られるような定電圧である必要はなく、着脱式電池ユニット１０側の定電流部１２で消費される一定の電流が供給できるような電源電圧で構わない。これにより、電子機器２０の中の回路を簡略化することができる。
【００２６】
そして、この任意の電圧（電源３２）は、端子１６ａおよび電源用端子１６を経由して定電流部１２によって一定の電流のみが流されるような制限が加えられ、接地用端子１８および端子１８ａを経由して抵抗素子２４に至る。
【００２７】
抵抗素子２４の一端には接地用端子１８ａが接続され、他端は接地されており、この抵抗素子２４において、定電流部１２による一定電流は電位差となってアナログ／デジタル変換器２２に入力される。アナログ／デジタル変換器２２では、電位差をデジタル値に変換してマイクロプロセッサ２３に渡す。
【００２８】
マイクロプロセッサ２３においては、受け取ったデジタル値（電位値）から電流値を求め、この電流値をキーに、予め各着脱式電池ユニット種類別の電流値が対応付けて登録されたテーブル等を参照して、着脱式電池ユニット１０の種類を判別する。
【００２９】
また、図１２における電子機器２０ａは、図１１で示した電子機器２０における抵抗素子２４の代わりに抵抗素子２７を、電源３２と端子１６ａ間に設けたものであり、端子１８ａは接地配線されている。
【００３０】
このような構成により、電子機器２０ａでは、電源３２からの電圧は、抵抗素子２７と端子１６ａから図１の電源用端子１６を経由して定電流部１２によって一定の電流のみが流されるような制限が加えられて接地用端子１８および端子１８ａを経由してグラウンドに至る。
【００３１】
この際、抵抗素子２７において、定電流部１２による一定の電流は電位差となってアナログ／デジタル変換器２２に入力され、アナログ／デジタル変換器２２においてデジタル値に変換されてマイクロプロセッサ２３に読み込まれる。マイクロプロセッサ２３においては、受け取ったデジタル値（電位値）から電流値を求め、予め各着脱式電池ユニット種類別の電流値が対応付けて登録されたテーブル等を参照して、着脱式電池ユニット１０の種類を判別する。
【００３２】
このような図１および図１１，１２に示す構成とすることにより、次の作用、効果が得られる。まず、任意の電圧（電源３２）と抵抗素子２４，２７、および、定電流部１２と電源用端子１６、接地用端子１８、端子１６ａ，１８ａのどの回路接続の部分においても、判別を行うのに必要な一定値の電流の流れが妨げられない範囲であれば、何らかの事由により抵抗分等の回路的な障壁が挿入されていたとしても、着脱式電池ユニット１０の種類を判別することに支障が発生しないことは明白である。
【００３３】
例えば、電源用端子１６、接地用端子１８、端子１６ａ，１８ａの接触部に異物が挟まったり、経時変化により接触部の腐食や酸化が進んでいたり、端子間が半接触状態になった等の原因で、接点部にある程度の抵抗を持ったとしても、その抵抗値が、判別を行うのに必要な一定値の電流の流れが妨げられないという広範囲の抵抗値において、着脱式電池ユニット１０の種類を判別することが可能である。
【００３４】
さらに、電池１１を大電流で充放電する場合、負極端子１５の接触抵抗により電池１１の負極側の電圧が変動を起こすせいで、抵抗やツェナーダイオードを用いた従来の技術では、電源用端子１６の電圧もそれに伴って変位を起こしてしまい、電池１１の種類を誤検出してしまうという問題点が発生するが、本例においては、電圧でなく電流を検出するので、このような問題点が発生しない。
【００３５】
特に、図１１における電子機器２０のように、抵抗素子２４の一方をグラウンドに接続すれば、抵抗素子２４の電位差をアナログ／デジタル変換器２２に入力しなくとも、端子１８ａ（接地用端子１８）の電圧を入力するのみで着脱式電池ユニット１０の種類を判別することができる。
【００３６】
また同様に、図１２の電子機器２０ａにおいても、抵抗素子２７に定電圧を接続すれば、この抵抗素子２７の電位差をアナログ／デジタル変換器２２に入力しなくとも、端子１６ａ（電源用端子１６）の電圧を入力するのみで、その定電圧との差分をマイクロプロセッサ２３が計算することにより着脱式電池ユニット１０の種類を判別することができる。
【００３７】
また、図１の構成であれば、電源用端子１６と接地用端子１８の二端子を用いるだけで、判別を行うのに必要な一定値の電流を無数に設定することが可能になるので、電池の種類、もしくは特性の異なる同種の電池というような多種に渡った電池を着脱する装置においても、従来のように、種別検出用の端子の数が多くなり、端子部分の形状が大きくなるという問題点は発生しない。
【００３８】
図２は、本発明に係る着脱式電池ユニットの第２の構成例を示すブロック図である。
【００３９】
本図２の着脱式電池ユニット１０ａにおいては、定電流部１２の電源側を、電池１１用の正極端子１４に接続して、図１の着脱式電池ユニット１０における電源用端子１６を不要としている。
【００４０】
このような構成の着脱式電池ユニット１０ａが、例えば、先に説明した図１１に示す電子機器２０に装着されると、この電子機器２０における電源３２と端子１６ａは特に必要はなく、電池１１の正極側と定電流部１２とが回路接続されることで、一定の電流のみが流されるような制限が加えられ、接地用端子１８および端子１８ａを経由して、抵抗素子２４に至る。
【００４１】
この抵抗素子２４で電流は電位差となってアナログ／デジタル変換器２２に入力され、デジタル値に変換されてマイクロプロセッサ２３に読み込まれ、マイクロプロセッサ２３において、デジタル値（電位値）から電流値を求め、予め各着脱式電池ユニット種類別の電流値が対応付けて登録されたテーブル等を参照して、着脱式電池ユニット１０ａの種類を判別する。
【００４２】
このような図２に示す構成の着脱式電池ユニット１０ａにおいても、図１の着脱式電池ユニット１０と同様の作用、効果が得られる。尚、図２における着脱式電池ユニット１０ａの構成であれば、接地用端子１８の一端子を用いるだけで、着脱式電池ユニットの種類の判別を行うのに必要な一定値の電流を無数に設定することが可能になる。
【００４３】
図３は、本発明に係る着脱式電池ユニットの第３の構成例を示すブロック図である。
【００４４】
本図３の着脱式電池ユニット１０ｂにおいては、定電流部１２の接地側を、電池１１用の負極端子１５に接続して、図１の着脱式電池ユニット１０における接地用端子１８を不要としている。
【００４５】
このような構成の着脱式電池ユニット１０ｂが、例えば、先に説明した図１２に示す電子機器２０ａに装着されると、この電子機器２０ａにおける接地用の端子１８ａは使用されず、電源３２が抵抗素子２７を経由して、端子１６ａおよび電源用端子１６に加えられ、定電流部１２によって一定の電流のみが流されるような制限が加えられて負極端子１５および端子１５ａを経由してグラウンドに至る。
【００４６】
この際、抵抗素子２７において電流は電位差となってアナログ／デジタル変換器２２に入力され、デジタル値に変換されてマイクロプロセッサ２３に読み込まれ、マイクロプロセッサ２３において、デジタル値（電位値）から電流値を求め、予め各着脱式電池ユニット種類別の電流値が対応付けて登録されたテーブル等を参照して、着脱式電池ユニット１０の種類を判別する。
【００４７】
このような図３に示す構成の着脱式電池ユニット１０ｂにおいても、図１および図２の着脱式電池ユニット１０，１０ａと同様の作用、効果が得られる。尚、図３における着脱式電池ユニット１０ｂの構成であれば、電源用端子１６の一端子を用いるだけで、着脱式電池ユニットの種類の判別を行うのに必要な一定値の電流を無数に設定することが可能になる。
【００４８】
図４は、本発明に係る着脱式電池ユニットの第４の構成例を示すブロック図である。
【００４９】
本図４の着脱式電池ユニット１０ｃにおいては、定電流部１２の電源側を、電池１１の中間電位もしくは中間電位形成部に接続して、図１の着脱式電池ユニット１０における電源用端子１６を不要としている。
【００５０】
このような構成の着脱式電池ユニット１０ｃが、例えば、図１１に示す電子機器２０に装着されると、この電子機器２０における電源３２と端子１６ａは特に必要はなく、電池１１の中間電位と定電流部１２とが回路接続されることで、一定の電流のみが流されるような制限が加えられ、接地用端子１８および端子１８ａを経由して、抵抗素子２４に至る。
【００５１】
そして、この抵抗素子２４で電流は電位差となってアナログ／デジタル変換器２２に入力され、デジタル値に変換されてマイクロプロセッサ２３に読み込まれ、マイクロプロセッサ２３において、デジタル値（電位値）から電流値を求め、この電流値を基に、予め各着脱式電池ユニット種類別の電流値が対応付けて登録されたテーブル等を参照して、着脱式電池ユニット１０ａの種類を判別する。
【００５２】
このような図４に示す構成の着脱式電池ユニット１０ｃにおいても、図１〜図３の各着脱式電池ユニット１０，１０ａ，１０ｂと同様の作用、効果が得られる。尚、図４における着脱式電池ユニット１０ｃの構成であれば、図２における着脱式電池ユニット１０ａと同様に、接地用端子１８の一端子を用いるだけで、着脱式電池ユニットの種類の判別を行うのに必要な一定値の電流を無数に設定することが可能になる。
【００５３】
図５は、本発明に係る着脱式電池ユニットの第５の構成例を示すブロック図であり、図１３は、図５における着脱式電池ユニットを用いる本発明に係わる電子機器の第３の構成例を示すブロック図、図１４は、図５における着脱式電池ユニットを用いる本発明に係わる電子機器の第４の構成例を示すブロック図である。
【００５４】
図５の着脱式電池ユニット１０ｄにおいては、図１に示した着脱式電池ユニット１０における定電流部１２と並列に温度検出素子１３が設けられている。また、図１３の電子機器２０ｂにおいては、図１１に示した電子機器２０に配線３０，３１が設けられ、さらに、図１４の電子機器２０ｃにおいては、図１２に示した電子機器２０ａに配線３０ａ，３１ａが設けられた構成となっている。
【００５５】
図１３における電子機器２０ｂ、および、図１４における電子機器２０ｃでは、配線３０，３１、配線３０ａ，３１ａにより、端子１６ａと端子１８ａをアナログ／デジタル変換器２２に接続しており、装着された図５の着脱式電池ユニット１０ｄにおける電源用端子１６と接地用端子１８間の電位差が、アナログ／デジタル変換器２２に入力され、デジタル値に変換されてマイクロプロセッサ２３に読み込まれる。
【００５６】
図５に示す構成の着脱式電池ユニット１０ｄが、例えば、図１３に示す電子機器２０ｂに装着されると、図１に示す着脱式電池ユニット１０が、図１１の電子機器２０に装着された場合と同様にして、電源３２からの電圧が端子１６ａ、電源用端子１６を経由し、さらに、定電流部１２によって一定の電流のみが流されるような制限が加えられて接地用端子１８、端子１８ａを経由して抵抗素子２４に至る。
【００５７】
そして、この抵抗素子２４で電流は電位差となってアナログ／デジタル変換器２２に入力され、デジタル値に変換されてマイクロプロセッサ２３に読み込まれる。
【００５８】
しかし、この際、図５の着脱式電池ユニット１０ｄと図１３の電子機器２０ｂとの組合せでは、抵抗素子２４を流れる電流は、定電流部１２と温度検出素子１３のそれぞれに流れる電流の総和となっているため、デジタル値、すなわち、抵抗素子２４の電位差から得られた電流値は、マイクロプロセッサ２３にとっては想定され得る電池の種類に該当しない。
【００５９】
そこで、マイクロプロセッサ２３では、テーブル等に初期値として保持している電池の種類と電流値との相関関係の中から、抵抗素子２４を介して取得した電流値を超えない範囲で一番近い電流値を持つものを選び出し、それに基づき、着脱式電池ユニット１０ｄの種類を判別する。
【００６０】
そして、抵抗素子２４を流れる電流値と、マイクロプロセッサ２３が選び出した電流値との差分が、温度検出素子１３を流れる電流であり、同様に、配線３０，３１を介して、電源用端子１６と接地用端子１８との間の電位差がアナログ／デジタル変換器２２に入力され、デジタル値に変換されてマイクロプロセッサ２３に読み込まれ、マイクロプロセッサ２３では、これらの電流値と電圧値を用いることで温度検出素子１３の温度も電池の種類と合わせて判別する。
【００６１】
また、図５に示す構成の着脱式電池ユニット１０ｄが、図１４に示す電子機器２０ｃに装着されると、図１に示す着脱式電池ユニット１０が、図１２の電子機器２０ａに装着された場合と同様にして、電源３２からの電圧が抵抗素子２７と端子１６ａ、電源用端子１６を経由し、さらに、定電流部１２によって一定の電流のみが流されるような制限が加えられて接地用端子１８、端子１８ａを経由して接地される。
【００６２】
そして、抵抗素子２７で電流は電位差となってアナログ／デジタル変換器２２に入力され、デジタル値に変換されてマイクロプロセッサ２３に読み込まれる。しかし、この際、図５の着脱式電池ユニット１０ｄと図１４の電子機器２０ｃとの組合せでは、抵抗素子２７を流れる電流は、定電流部１２と温度検出素子１３のそれぞれで流れる電流の総和となっているため、デジタル値、すなわち、抵抗素子２７の電位差から得られた電流値は、マイクロプロセッサ２３にとっては想定され得る電池の種類に該当しない。
【００６３】
そこで、マイクロプロセッサ２３では、テーブル等に初期値として保持している電池の種類と電流値との相関関係の中から、抵抗素子２７を介して取得した電流値を超えない範囲で一番近い電流値を持つものを選び出し、それに基づき、着脱式電池ユニット１０ｄの種類を判別する。
【００６４】
そして、抵抗素子２７を流れる電流値と、マイクロプロセッサ２３が選び出した電流値との差分が、温度検出素子１３を流れる電流であり、同様に、配線３０ａ，３１ａを介して、電源用端子１６と接地用端子１８との間の電位差がアナログ／デジタル変換器２２に入力され、デジタル値に変換されてマイクロプロセッサ２３に読み込まれ、マイクロプロセッサ２３では、これらの電流値と電圧値を用いることで温度検出素子１３の温度も電池の種類と合わせて判別する。
【００６５】
このような図５に示す構成の着脱式電池ユニット１０ｄにおいても、図１〜図４の各着脱式電池ユニット１０，１０ａ〜１０ｃと同様の作用、効果が得られる。
【００６６】
尚、図５における着脱式電池ユニット１０ｄの構成であれば、温度検出素子１３の温度の判別としてのみに用いられていた電源用端子１６と接地用端子１８の二端子をそのまま流用し、温度の判別に支障がないように一定の値の幅を持った定電流値を、着脱式電池ユニットの種類の判別に用いることができる。
【００６７】
図６は、本発明に係る着脱式電池ユニットの第６の構成例を示すブロック図である。
【００６８】
本図６の着脱式電池ユニット１０ｅにおいては、定電流部１２と温度検出素子１３の接地側を、電池１１用の負極端子１５に接続して、図５の着脱式電池ユニット１０ｄにおける接地用端子１８を不要としている。
【００６９】
このような構成の着脱式電池ユニット１０ｅが、例えば、先に説明した図１４に示す電子機器２０ｃに装着されると、この電子機器２０ｃにおける接地用の端子１８ａは使用されず、電源３２からの電圧が抵抗素子２７を経由して、端子１６ａおよび電源用端子１６に加えられ、定電流部１２によって一定の電流のみが流されるような制限が加えられて負極端子１５および端子１５ａを経由してグラウンドに至る。
【００７０】
これに伴い、抵抗素子２７において電流は電位差となってアナログ／デジタル変換器２２に入力され、デジタル値に変換されてマイクロプロセッサ２３に読み込まれる。
【００７１】
この際、図６の着脱式電池ユニット１０ｅと図１４の電子機器２０ｃとの組合せでは、図５の着脱式電池ユニット１０ｄと図１４の電子機器２０ｃとの組合せと同様に、抵抗素子２７を流れる電流は、定電流部１２と温度検出素子１３のそれぞれに流れる電流の総和となっているため、デジタル値、すなわち、抵抗素子２７の電位差から得られた電流値は、マイクロプロセッサ２３にとっては想定され得る電池の種類に該当しない。
【００７２】
そこで、マイクロプロセッサ２３では、テーブル等に初期値として保持している電池の種類と電流値との相関関係の中から、抵抗素子２７を介して取得した電流値を超えない範囲で一番近い電流値を持つものを選び出し、それに基づき、着脱式電池ユニット１０ｅの種類を判別する。
【００７３】
そして、抵抗素子２７を流れる電流値と、マイクロプロセッサ２３が選び出した電流値との差分が、温度検出素子１３を流れる電流であり、同様に、配線３０ａ，３１ａを介して、電源用端子１６と負極端子１５との間の電位差がアナログ／デジタル変換器２２に入力され、デジタル値に変換されてマイクロプロセッサ２３に読み込まれる。マイクロプロセッサ２３では、これらの電流値と電圧値を用いることで温度検出素子１３の温度も電池の種類と合わせて判別する。
【００７４】
このような図６に示す構成の着脱式電池ユニット１０ａにおいても、端子の数を増やすことなく、図５の着脱式電池ユニット１０ｄと同様な作用、効果が得られる。尚、図６における着脱式電池ユニット１０ｅの構成であれば、温度検出素子１３の温度の判別としてのみに用いられていた電源用端子１６の一端子をそのまま流用するだけで良い。
【００７５】
図７は、本発明に係る着脱式電池ユニットの第７の構成例を示すブロック図である。
【００７６】
本図７の着脱式電池ユニット１０ｆにおいては、図１に示した着脱式電池ユニット１０における定電流部１２と直列に温度検出素子１３が設けられている。このような構成の着脱式電池ユニット１０ｄが、例えば、図１３に示す電子機器２０ｂに装着されると、図１に示す着脱式電池ユニット１０が、図１１の電子機器２０に装着された場合と同様にして、電源３２からの電圧が端子１６ａ、電源用端子１６にかかり、定電流部１２によって一定の電流のみが流されるような制限が加えられて、温度検出素子１３と接地用端子１８、端子１８ａを経由して抵抗素子２４に至る。
【００７７】
そして、この抵抗素子２４で電流は電位差となってアナログ／デジタル変換器２２に入力され、デジタル値に変換されてマイクロプロセッサ２３に読み込まれ、マイクロプロセッサ２３においては、デジタル値（電位値）から電流値を求め、この電流値を基に、予め各着脱式電池ユニット種類別の電流値が対応付けて登録されたテーブル等を参照して、着脱式電池ユニット１０ｆの種類を判別する。
【００７８】
さらに、端子１６ａ，１８ａおよび配線３０，３１を介して、着脱式電池ユニット１０ｆの電源用端子１６と接地用端子１８との間の電位差がアナログ／デジタル変換器２２に入力され、デジタル値に変換されてマイクロプロセッサ２３に読み込まれる。この際、マイクロプロセッサ２３において、定電流部１２で生じる電位差を予め規定しておけば、その差分を取ることで、温度検出素子１３のみで生じている電位差を算出できるので、この算出した電位差（電圧値）と抵抗素子２４で測定された電流値とを用いることで、温度検出素子１３の温度も電池の種類と合わせて判別できる。
【００７９】
また、図７に示す構成の着脱式電池ユニット１０ｆが、図１４に示す電子機器２０ｃに装着されると、図１に示す着脱式電池ユニット１０が、図１２の電子機器２０ａに装着された場合と同様にして、電源３２からの電圧が抵抗素子２７と端子１６ａ、電源用端子１６にかかり、定電流部１２によって一定の電流のみが流されるような制限が加えられて、温度検出素子１３と接地用端子１８、端子１８ａを経由して接地される。
【００８０】
そして、抵抗素子２７で電流は電位差となってアナログ／デジタル変換器２２に入力され、デジタル値に変換されてマイクロプロセッサ２３に読み込まれ、マイクロプロセッサ２３において、デジタル値（電位値）から電流値を求め、この電流値を基に、予め各着脱式電池ユニット種類別の電流値が対応付けて登録されたテーブル等を参照して、着脱式電池ユニット１０ｆの種類を判別する。
【００８１】
さらに、端子１６ａ，１８ａおよび配線３０ａ，３１ａを介して、着脱式電池ユニット１０ｆの電源用端子１６と接地用端子１８との間の電位差がアナログ／デジタル変換器２２に入力され、デジタル値に変換されてマイクロプロセッサ２３に読み込まれる。この際、マイクロプロセッサ２３において、定電流部１２で生じる電位差を予め規定しておけば、その差分を取ることで、温度検出素子１３のみで生じている電位差を算出できるので、この算出した電位差（電圧値）と抵抗素子２７で測定された電流値とを用いることで、温度検出素子１３の温度も電池の種類と合わせて判別できる。
【００８２】
このような図７に示す構成の着脱式電池ユニット１０ｆにおいても、図１〜図６の各着脱式電池ユニット１０，１０ａ〜１０ｅと同様の作用、効果が得られる。
【００８３】
尚、図７における着脱式電池ユニット１０ｆの構成であれば、図５における着脱式電池ユニット１０ｄと同様に、温度検出素子１３の温度の判別としてのみに用いられていた電源用端子１６と接地用端子１８の二端子をそのまま流用するだけで良い。
【００８４】
図８は、本発明に係る着脱式電池ユニットの第８の構成例を示すブロック図である。
【００８５】
本図８の着脱式電池ユニット１０ｇにおいては、定電流部１２と直列に接続された温度検出素子１３の接地側を、電池１１用の負極端子１５に接続して、図７の着脱式電池ユニット１０ｆにおける接地用端子１８を不要としている。
【００８６】
このような構成の着脱式電池ユニット１０ｇが、図１４に示す電子機器２０ｃに装着されると、この電子機器２０ｃにおける接地用の端子１８ａは使用されず、電源３２からの電圧が抵抗素子２７を経由して、端子１６ａおよび電源用端子１６に加えられ、定電流部１２によって一定の電流のみが流されるような制限が加えられて、温度検出措置１３と負極端子１５および端子１５ａを経由してグラウンドに至る。
【００８７】
この際、抵抗素子２７において電流は電位差となってアナログ／デジタル変換器２２に入力され、デジタル値に変換されてマイクロプロセッサ２３に読み込まれ、マイクロプロセッサ２３において、デジタル値（電位値）から電流値を求め、この電流値を基に、予め各着脱式電池ユニット種類別の電流値が対応付けて登録されたテーブル等を参照して、着脱式電池ユニット１０ｇの種類を判別する。
【００８８】
さらに、端子１６ａと配線３０ａ、および端子１５ａとグラウンド、配線３１ａを介して、着脱式電池ユニット１０ｇの電源用端子１６と負極端子１５との間の電位差がアナログ／デジタル変換器２２に入力され、デジタル値に変換されてマイクロプロセッサ２３に読み込まれる。この際、マイクロプロセッサ２３において、定電流部１２で生じる電位差を予め規定しておけば、その差分を取ることで、温度検出素子１３のみで生じている電位差を算出できるので、この算出した電位差（電圧値）と抵抗素子２７で測定された電流値とを用いることで、温度検出素子１３の温度も電池の種類と合わせて判別できる。
【００８９】
このような図８に示す構成の着脱式電池ユニット１０ｇにおいても、図１〜図７の各着脱式電池ユニット１０，１０ａ〜１０ｆと同様の作用、効果が得られる。尚、図８における着脱式電池ユニット１０ｇの構成であれば、従来は温度検出素子１３の温度の判別としてのみに用いられていた電源用端子１６の一端子をそのまま流用するだけで良い。
【００９０】
図１５は、図７における着脱式電池ユニットを用いる本発明に係わる電子機器の第５の構成例を示すブロック図、図１６は、図７および図８における着脱式電池ユニットを用いる本発明に係わる電子機器の第６の構成例を示すブロック図である。
【００９１】
図１５の電子機器２０ｄにおいては、図１３に示した電子機器２０ｂにおける電源３２としてレギュレータ２１の出力（定電圧）が用いられており、また、抵抗素子２４と並列に抵抗素子２５が設けられ、さらに、抵抗素子２４の接地をオンオフ制御するための半導体２６が設けられている。
【００９２】
また、図１６の電子機器２０ｅにおいては、図１４に示した電子機器２０ｃにおける電源３２としてレギュレータ２１の出力（定電圧）が用いられており、また、抵抗素子２７と並列に抵抗素子２８が設けられ、さらに、抵抗素子２７とのレギュレータ２１の出力との接続をオンオフ制御するための半導体２９が設けられている。
【００９３】
図７に示す構成の着脱式電池ユニット１０ｆが、図１５に示す電子機器２０ｄに装着されると、レギュレータ２１の出力（定電圧）が端子１６ａ、電源用端子１６にかかり、定電流部１２によって一定の電流のみが流されるような制限が加えられて、温度検出素子１３と接地用端子１８、端子１８ａを経由して抵抗素子２４，２５に至る。
【００９４】
この際、マイクロプロセッサ２３からの制御に基づき半導体２６によって抵抗素子２４は制限されており、マイクロプロセッサ２３の要求により抵抗素子２４に電流が流れることで、抵抗素子２４の電位差がアナログ／デジタル変換器２２に入力され、デジタル値に変換されてマイクロプロセッサ２３に読み込まれ、マイクロプロセッサ２３において、デジタル値（電位差）から電流値を求め、この電流値を基に、予め各着脱式電池ユニット種類別の電流値が対応付けて登録されたテーブル等を参照して、着脱式電池ユニット１０ｆの種類を判別することができる。
【００９５】
尚、この場合、抵抗素子２５にも電流が流れ込んでしまうが、抵抗素子２４と比較して、抵抗素子２５に流れ込む電流を少なく設定すれば支障なく電池の種類を判別することができる。
【００９６】
電池の種類を判別する場合とは反対に、マイクロプロセッサ２３から半導体２６への要求で、抵抗素子２４に電流を流さないようにすることにより、定電圧下における温度検出素子１３と抵抗素子２５とで分圧した電圧が、配線３０，３１を介してアナログ／デジタル変換器２２に入力され、デジタル値に変換されてマイクロプロセッサ２３に読み込まれる。
【００９７】
この際、図７の着脱式電池ユニット１０ｆの定電流部１２では、電位差が生じてしまい温度の誤検出をすることが考えられるが、温度検出時は、定電流部１２に流れる電流を少なく設定することにより、この電位差を微少にできるので誤検出になるような問題は発生しない。
【００９８】
また、微少電流時の定電流部１２の電位差を規定しておき、その差分を取ることで温度検出素子１３のみで生じている電位差を算出することにより、温度検出の絶対的な精度を高めることができる。算出した電圧値を用いることで温度検出素子１３の温度も電池の種類と合わせて判別することが可能になる。
【００９９】
図７に示す構成の着脱式電池ユニット１０ｆが、図１６に示す電子機器２０ｅに装着されると、レギュレータ２１の出力（定電圧）が、抵抗素子２７，２８に接続されて端子１６ａ、着脱式電池ユニット１０ｆの電源用端子１６に加わる。
【０１００】
そして、電源用端子１６から、定電流部１２によって一定の電流のみが流されるような制限が加えられて、温度検出素子１３と接地用端子１８を経由してグラウンドに至る。
【０１０１】
本例では、マイクロプロセッサ２３からの制御に基づき半導体２９によって、レギュレータ２１の出力と抵抗素子２７との接続は制限されており、マイクロプロセッサ２３の要求により、半導体２９を介してレギュレータ２１の出力（定電圧）が抵抗素子２７に接続され、抵抗素子２７に電流が流れることで、抵抗素子２７の電位差がアナログ／デジタル変換器２２に入力される。
【０１０２】
アナログ／デジタル変換器２２において抵抗素子２７の電位差はデジタル値に変換されてマイクロプロセッサ２３に読み込まれ、マイクロプロセッサ２３において、デジタル値（電位値）から電流値を求め、この電流値を基に、予め各着脱式電池ユニット種類別の電流値が対応付けて登録されたテーブル等を参照して、着脱式電池ユニット１０ｆの種類を判別する。
【０１０３】
尚、この際、抵抗素子２８にも電流が流れ込んでしまうが、抵抗素子２７と比較して、抵抗素子２８に流れ込む電流を少なく設定すれば支障なく電池の種類を判別することができる。
【０１０４】
また、電池の種類を判別する場合とは反対に、マイクロプロセッサ２３から半導体２９への要求で、抵抗素子２７に電流を流さないようにすることにより、定電圧下における抵抗素子２８と温度検出素子１３とで分圧した電圧が、配線３０ａ，３１ａを介してアナログ／デジタル変換器２２に入力され、デジタル値に変換されてマイクロプロセッサ２３に読み込まれる。
【０１０５】
この際、定電流部１２では、電位差が生じてしまい温度の誤検出をすることが考えられるが、温度検出時は定電流部１２に流れる電流を少なく設定しているために、この電位差を微少にできるので誤検出になるような問題は発生しない。また、温度検出の絶対的な精度を高めるには、微少電流時の定電流部１２の電位差を規定しておけば、その差分を取ることで温度検出素子１３のみで生じている電位差を算出できる。この電圧値を用いることで温度検出素子１３の温度も電池の種類と合わせて判別することが可能になる。
【０１０６】
次に、図８に示す構成の着脱式電池ユニット１０ｇが、図１６に示す電子機器２０ｅに装着されると、レギュレータ２１の出力（定電圧）が、抵抗素子２７，２８および端子１６ａから、図８の着脱式電池ユニット１０ｇの電源用端子１６に加わる。
【０１０７】
そして、電源用端子１６から、定電流部１２によって一定の電流のみが流されるような制限が加えられて、温度検出素子１３ならびに負極端子１５、および、図１６の電子機器２０ｅにおける端子１５ａを経由してグラウンドに至る。ここでは、端子１８ａは用いられない。
【０１０８】
本例では、マイクロプロセッサ２３からの制御に基づき半導体２９によって、レギュレータ２１の出力と抵抗素子２７との接続は制限されており、マイクロプロセッサ２３の要求により、半導体２９を介してレギュレータ２１の出力が抵抗素子２７に接続され、抵抗素子２７に電流が流れることで、抵抗素子２７の電位差がアナログ／デジタル変換器２２に入力される。
【０１０９】
アナログ／デジタル変換器２２において抵抗素子２７の電位差はデジタル値に変換されてマイクロプロセッサ２３に読み込まれ、マイクロプロセッサ２３において、デジタル値（電位値）から電流値を求め、この電流値を基に、予め各着脱式電池ユニット種類別の電流値が対応付けて登録されたテーブル等を参照して、着脱式電池ユニット１０ｇの種類を判別する。
【０１１０】
尚、図１５でも説明したように、この際、抵抗素子２８にも電流が流れ込んでしまうが、抵抗素子２７と比較して、抵抗素子２８に流れ込む電流を少なく設定すれば支障なく電池の種類を判別することができる。
【０１１１】
電池の種類を判別する場合とは反対に、マイクロプロセッサ２３から半導体２９への要求で、抵抗素子２７に電流を流さないようにすることにより、定電圧下における抵抗素子２８と温度検出素子１３とで分圧した電圧が、配線３０ａ，３１ａを介してアナログ／デジタル変換器２２に入力され、デジタル値に変換されてマイクロプロセッサ２３に読み込まれる。
【０１１２】
この際、定電流部１２では、電位差が生じてしまい温度の誤検出をすることが考えられるが、温度検出時は定電流部１２に流れる電流を少なく設定しているために、この電位差を微少にできるので誤検出になるような問題は発生しない。また、温度検出の絶対的な精度を高めるには、微少電流時の定電流部１２の電位差を規定しておけば、その差分を取ることで温度検出素子１３のみで生じている電位差を算出できる。この電圧値を用いることで温度検出素子１３の温度も電池の種類と合わせて判別することが可能になる。
【０１１３】
このような図１５もしくは図１６の電子機器２０ｄ，２０ｅに図７の着脱式電池ユニット１０ｆもしくは図８の着脱式電池ユニット１０ｇを組み合わせる場合においても、他の構成例と同様の作用、効果が得られる。
【０１１４】
図９は、本発明に係る着脱式電池ユニットの第９の構成例を示すブロック図であり、図１７は、図９における着脱式電池ユニットを用いる本発明に係わる電子機器の第７の構成例を示すブロック図、図１８は、図９における着脱式電池ユニットを用いる本発明に係わる電子機器の第８の構成例を示すブロック図である。
【０１１５】
図９の着脱式電池ユニット１０ｈにおいては、図７に示した着脱式電池ユニット１０ｆにおける定電流部１２と温度検出素子１３との接続点に回線接続された中間用端子１７が設けられている。また、図１７の電子機器２０ｆにおいては、図１に示した電子機器２０に端子１７ａと配線３０ｂ，３１ｂが設けられ、さらに、図１８の電子機器２０ｇにおいては、図２に示した電子機器２０ａに端子１７ａと配線３０ｃ，３１ｃが設けられた構成となっている。
【０１１６】
図１７における電子機器２０ｆ、および、図１８における電子機器２０ｇでは、配線３０ｂ，３１ｂ、配線３０ｃ，３１ｃにより、端子１７ａと端子１８ａをアナログ／デジタル変換器２２に接続しており、装着された図９の着脱式電池ユニット１０ｈにおける中間用端子１７と接地用端子１８間の電位差が、アナログ／デジタル変換器２２に入力され、デジタル値に変換されてマイクロプロセッサ２３に読み込まれる。
【０１１７】
例えば、図９に示す構成の着脱式電池ユニット１０ｈが、図１７に示す電子機器２０ｆに装着されると、電源３２からの電圧が端子１６ａ、電源用端子１６にかかり、定電流部１２によって一定の電流のみが流されるような制限が加えられて、温度検出素子１３と接地用端子１８、端子１８ａを経由して抵抗素子２４に至る。
【０１１８】
この抵抗素子２４で電流は電位差となってアナログ／デジタル変換器２２に入力され、デジタル値に変換されてマイクロプロセッサ２３に読み込まれ、マイクロプロセッサ２３において、デジタル値（電位値）から電流値を求め、この電流値を基に、予め各着脱式電池ユニット種類別の電流値が対応付けて登録されたテーブル等を参照して、着脱式電池ユニット１０ｈの種類を判別する。
【０１１９】
さらに、着脱式電池ユニット１０ｈの中間用端子１７と接地用端子１８との間の電位差が、端子１７ａ，１８ａおよび配線３０ｂ，３１ｂを介してアナログ／デジタル変換器２２に入力され、デジタル値に変換されてマイクロプロセッサ２３に読み込まれる。
【０１２０】
マイクロプロセッサ２３において、この電位差（電圧値）と抵抗素子２４で測定された電流値（電位差）とを用いることで温度検出素子１３の温度も電池の種類と合わせて判別することが可能になる。このように一定の電流値を流すことにより、電源電圧に依存することなく容易に、かつ、正確に温度の検出を行うことが可能になる。
【０１２１】
また、図９に示す構成の着脱式電池ユニット１０ｈが、図１８に示す電子機器２０ｇに装着されると、電源３２からの電圧が抵抗素子２７と端子１６ａ、電源用端子１６にかかり、定電流部１２によって一定の電流のみが流されるような制限が加えられて、温度検出素子１３と接地用端子１８、端子１８ａを経由して接地される。
【０１２２】
そして、抵抗素子２７で電流は電位差となってアナログ／デジタル変換器２２に入力され、デジタル値に変換されてマイクロプロセッサ２３に読み込まれ、マイクロプロセッサ２３において、デジタル値（電位値）から電流値を求め、この電流値を基に、予め各着脱式電池ユニット種類別の電流値が対応付けて登録されたテーブル等を参照して、着脱式電池ユニット１０ｈの種類を判別する。
【０１２３】
さらに、中間用端子１７と接地用端子１８との間の電位差が、端子１７ａ，１８ａおよび配線３０ｃ，３１ｃを介してアナログ／デジタル変換器２２に入力され、デジタル値に変換されてマイクロプロセッサ２３に読み込まれる。
【０１２４】
マイクロプロセッサ２３においては、この電位差（電圧値）と抵抗素子２７で測定された電位差（電流値）とを用いることで温度検出素子１３の温度も電池の種類と合わせて判別する。このように一定の電流値を流すことにより、電源電圧に依存することなく容易に、かつ、正確に温度の検出を行うことが可能になる。
【０１２５】
このような図９に示す構成の着脱式電池ユニット１０ｈと、図１７もしくは図１８における電子機器２０ｆ，２０ｇとの組合せにおいても、他の構成例と同様の作用、効果が得られる。
【０１２６】
尚、本例の構成であれば、温度検出素子１３の温度の判別として用いられていた二端子（電源用端子１６、接地用端子１８）以外に、一端子（中間用端子１７）を追加するだけで良い。
【０１２７】
図１０は、本発明に係る着脱式電池ユニットの第１０の構成例を示すブロック図である。
【０１２８】
本図１０の着脱式電池ユニット１０ｉにおいては、定電流部１２と直列に接続された温度検出素子１３の接地側を、電池１１用の負極端子１５に接続して、図９の着脱式電池ユニット１０ｈにおける接地用端子１８を不要としている。
【０１２９】
このような構成の着脱式電池ユニット１０ｉが、図１８に示す電子機器２０ｇに装着されると、この電子機器２０ｇにおける接地用の端子１８ａは使用されず、電源３２からの電圧が抵抗素子２７を経由して、端子１６ａおよび電源用端子１６に加えられ、定電流部１２によって一定の電流のみが流されるような制限が加えられて、温度検出措置１３と負極端子１５および端子１５ａを経由してグラウンドに至る。
【０１３０】
この際、抵抗素子２７において電流は電位差となってアナログ／デジタル変換器２２に入力され、デジタル値に変換されてマイクロプロセッサ２３に読み込まれ、マイクロプロセッサ２３において、デジタル値（電位差）から電流値を求め、この電流値を基に、予め各着脱式電池ユニット種類別の電流値が対応付けて登録されたテーブル等を参照して、着脱式電池ユニット１０ｇの種類を判別する。
【０１３１】
さらに、端子１７ａと配線３０ｃ、および端子１５ａとグラウンド、配線３１ｃを介して、着脱式電池ユニット１０ｉにおける中間用端子１７と負極端子１５との間の電位差がアナログ／デジタル変換器２２に入力され、デジタル値に変換されてマイクロプロセッサ２３に読み込まれる。
【０１３２】
マイクロプロセッサ２３においては、このアナログ／デジタル変換器２２から読み出した電位差（電圧値）と抵抗素子２７で測定された電位差（電流値）とを用いることで、温度検出素子１３の温度も電池の種類と合わせて判別できる。
【０１３３】
このような図８の着脱式電池ユニット１０ｉと図１８の電子機器２０ｇとを組み合わせた構成とすることによっても、他の構成例と同様の作用、効果が得られる。
【０１３４】
尚、本例の構成であれば、温度検出素子１３の温度の判別用として用いられていた二端子（電源用端子１６、接地用端子１８）以外に、一端子（中間用端子１７）を追加するだけで良い。
【０１３５】
以上、図１〜図１８を用いて説明したように、本例の着脱式電池ユニットとそれを用いる電子機器は、種別検出用に定電流素子や定電流回路を用いる。例えば、着脱式電池ユニット１０〜１０ｉは、複数の電池セルを組合わせた電池１１と、この電池１１の正極に回路接続された正極端子１４および負極に回路接続された負極端子１５を具備し、さらに、当該着脱式電池ユニット１０〜１０ｉの識別に用いられる電流値の定電流素子もしくは定電流回路からなる定電流部１２と、この定電流不１２の電源側に回路接続された電源用端子１６と、接地側に回路接続された接地用端子１８とを有し、そして、このような着脱式電池ユニットの種類を判別する電子機器２０〜２０ｇは、電源用端子１６に接続される電源３２と、一端が接地用端子に接続され他端が接地された抵抗２４と、この抵抗２４の電位差を測定して、この電位差から定電流部１２の電流値を求め、この電流値に基づき、予め各着脱式電池ユニット種類別の電流値が対応付けて登録されたテーブル等を参照して、着脱式電池ユニットの種類を判別するマイクロプロセッサ２３とを有する。
【０１３６】
このような構成として、一定の電流値を流すことにより、電源電圧に依存することなく容易に、かつ、正確に電池の種類の判別を行うことが可能になる。
【０１３７】
また、以上のような構成であれば、任意の電圧と抵抗素子２４，２７、電源用端子１６、定電流部１２、温度検出素子１３、負極端子１５などの、どの回路接続の部分においても、判別を行うのに必要な一定値の電流の流れが妨げられない範囲であれば、何らかの事由により抵抗分等の回路的な障壁が挿入されていたとしても着脱式電池ユニット１０の種類を判別することに支障が発生しない。
【０１３８】
例えば、端子部の接触部に異物が挟まったり、経時変化により接触部の腐食や酸化が進んでいたり、端子間の半接触状態になって接点部にある程度の抵抗を持ったとしても、その抵抗値が、判別を行うのに必要な一定値の電流の流れが妨げられないという広範囲な抵抗値において、着脱式電池ユニット１０〜１０ｉの種類を判別することが可能である。
【０１３９】
さらに、電池１１を大電流で充放電する場合、負極端子１５の接触抵抗により電池の負極側の電圧が変動を起こすせいで、従来の抵抗やツェナーダイオードを用いた技術では、電源用端子１６の電圧もそれに伴って変位を起こしてしまい、電池の種類を誤検出してしまうという問題点が発生するが、本例の定電流技術では電圧でなく電流を検出するためにこのような問題点が発生しない。
【０１４０】
また、図１に示す例の構成であれば二端子を用いるだけで、さらに、図２〜４に示す例の構成であれば一端子を用いるだけで、判別を行なうのに必要な一定値の電流を無数に設定することが可能になるので、電池の種類、もしくは特性の異なる同種の電池というような多種に渡った電池を着脱する装置においても、従来のように、種別検出用の端子の数が多くなり、端子部分の形状が大きくなるという問題点は発生しない。
【０１４１】
また、図１１，１３，１７における電子機器２０，２０ｂのように、抵抗素子２４の一方をグラウンドに接続すれば、抵抗素子２４の電位差をアナログ／デジタル変換器２２に入力しなくとも接地用端子１８の電圧を入力するのみで、着脱式電池ユニット１０の種類を判別することができる。
【０１４２】
また、図１２，１４，１８における電子機器２０ａ，２０ｃのように抵抗素子２７に定電圧を接続すれば、抵抗素子２７の電位差をアナログ／デジタル変換器２２に入力しなくとも電源用端子１６の電圧を入力するのみで、その定電圧との差分をマイクロプロセッサ２３が計算することにより着脱式電池ユニット１０の種類を判別することができる。
【０１４３】
また、図５〜８に示す例の構成であれば、電池の種類と温度の検出の判別が共有可能であると共に、温度検出素子１３の温度の判別としてのみ用いられていた二端子、もしくは、一端子をそのまま流用するだけで、温度の判別に支障がないように一定の値の幅を持った定電流値を使用することで、電池の種類、もしくは特性の異なる同種の電池というような多種に渡った電池を着脱する装置においても、従来のように、種別検出用の端子の数が多くなり、端子部分の形状が大きくなるという問題点は発生しない。
【０１４４】
また、図９，１０に示す例の構成であれば、電池の種類と温度の検出の判別が共有可能であると共に、温度検出素子１３の温度の判別として用いられていた二端子以外の一端子を追加するだけで、温度の判別に支障がないように一定の値の幅を持った定電流値を使用することで、電池の種類、もしくは特性の異なる同種の電池というような多種に渡った電池を着脱する装置においても、従来のように、種別検出用の端子の数が多くなり、端子部分の形状が大きくなるという問題点は発生しない。
【０１４５】
尚、本発明は、図１〜図１８を用いて説明した例に限定されるものではなく、その要旨を逸脱しない範囲において種々変更可能である。例えば、本例では、マイクロプロセッサ２３において、抵抗素子２４，２７での電位差から電流値を求め、この電流値を基に、予め各着脱式電池ユニット種類別の電流値が対応付けて登録されたテーブル等を参照して、装着された着脱式電池ユニットの種類を判別しているが、抵抗素子２４，２７での電位差から電流値を求めることなく、その電位差に基づき、装着された着脱式電池ユニットの種類を判別する構成でも良い。
【０１４６】
【発明の効果】
本発明によれば、着脱式電池ユニットの種類を判別するための検出用素子／回路として定電流素子や定電流回路を用いているので、簡素な構成で、電源電圧に依存することなく、容易に、かつ、正確な種類の判別を行なうことが可能である。
【図面の簡単な説明】
【図１】本発明に係る着脱式電池ユニットの第１の構成例を示すブロック図である。
【図２】本発明に係る着脱式電池ユニットの第２の構成例を示すブロック図である。
【図３】本発明に係る着脱式電池ユニットの第３の構成例を示すブロック図である。
【図４】本発明に係る着脱式電池ユニットの第４の構成例を示すブロック図である。
【図５】本発明に係る着脱式電池ユニットの第５の構成例を示すブロック図である。
【図６】本発明に係る着脱式電池ユニットの第６の構成例を示すブロック図である。
【図７】本発明に係る着脱式電池ユニットの第７の構成例を示すブロック図である。
【図８】本発明に係る着脱式電池ユニットの第８の構成例を示すブロック図である。
【図９】本発明に係る着脱式電池ユニットの第９の構成例を示すブロック図である。
【図１０】本発明に係る着脱式電池ユニットの第１０の構成例を示すブロック図である。
【図１１】図１における着脱式電池ユニットを用いる本発明に係わる電子機器の第１の構成例を示すブロック図である。
【図１２】図１における着脱式電池ユニットを用いる本発明に係わる電子機器の第２の構成例を示すブロック図である。
【図１３】図５における着脱式電池ユニットを用いる本発明に係わる電子機器の第３の構成例を示すブロック図である。
【図１４】図５における着脱式電池ユニットを用いる本発明に係わる電子機器の第４の構成例を示すブロック図である。
【図１５】図７における着脱式電池ユニットを用いる本発明に係わる電子機器の第５の構成例を示すブロック図である。
【図１６】図７および図８における着脱式電池ユニットを用いる本発明に係わる電子機器の第６の構成例を示すブロック図である。
【図１７】図９における着脱式電池ユニットを用いる本発明に係わる電子機器の第７の構成例を示すブロック図である。
【図１８】図９における着脱式電池ユニットを用いる本発明に係わる電子機器の第８の構成例を示すブロック図である。
【符号の説明】
１０，１０ａ〜１０ｉ：着脱式電池ユニット、１１：電池、１２：定電流部、１３：温度検出素子、１４：正極端子、１５：負極端子、１６：電源用端子、１７：中間用端子、１８：接地用端子、１４ａ〜１８ａ：端子、２０，２０ａ〜２０ｇ：電子機器、２１：レギュレータ（「ＲＥＧ」）、２２：アナログ／デジタル変換器（「Ａ／Ｄ」）、２３：マイクロプロセッサ（「ＭＰ」）、２４，２５：抵抗素子、２６：半導体、２７，２８：抵抗素子、２９：半導体、３０，３０ａ〜３０ｃ，３１，３１ａ〜３１ｃ：配線、３２：電源。
【図１】
0004289803.tif 000002
【図２】
0004289803.tif 000003
【図３】
0004289803.tif 000004
【図４】
0004289803.tif 000005
【図５】
0004289803.tif 000006
【図６】
0004289803.tif 000007
【図７】
0004289803.tif 000008
【図８】
0004289803.tif 000009
【図９】
0004289803.tif 000010
【図１０】
0004289803.tif 000011
【図１１】
0004289803.tif 000012
【図１２】
0004289803.tif 000013
【図１３】
0004289803.tif 000014
【図１４】
0004289803.tif 000015
【図１５】
0004289803.tif 000016
【図１６】
0004289803.tif 000017
【図１７】
0004289803.tif 000018
【図１８】
0004289803.tif 000019